(57)【要約】【課題】上流色変換で色の再変換する場合に、再変換対象の写真原稿ＣＭＹＫデータの元の写真原稿ＲＧＢデータを管理することが可能な編集装置を提供すること。【解決手段】写真原稿ＣＭＹＫデータに基づく画像が所望の位置に配置されたレイアウト画像データを作成する編集装置で、色変換手段２４で、色変換情報に基づいて色がＲＧＢで示される写真原稿ＲＧＢデータを色がＣＭＹＫで示される写真原稿ＣＭＹＫデータに変換し、変換される写真原稿ＲＧＢデータを画像データ記憶手段２３で記憶し、記憶された写真原稿ＲＧＢデータと変換により得られた写真原稿ＣＭＹＫデータとの対応関係をデータベース２５に記憶するようにした。【選択図】図１
2007251878.tif 000002
【特許請求の範囲】
【請求項１】
色変換情報に基づいて、色が第１の色情報で示される第１の原稿データを変換して色が第２の色情報で示される第２の原稿データを生成する色変換手段を備え、前記生成された第２の原稿データに基づく画像が所望の位置に配置されたレイアウト画像データを作成する編集装置であって、
前記変換される第１の原稿データを記憶する画像データ記憶手段と、
前記記憶された第１の原稿データと前記変換により得られた第２の原稿データとの対応関係を記憶する対応関係記憶手段とを備えることを特徴とする編集装置。
【請求項２】
色変換情報に基づいて、色が第１の色情報で示される第１の原稿データを変換して色が第２の色情報で示される第２の原稿データを生成する色変換手段を備え、前記生成された第２の原稿データに基づく画像が所望の位置に配置されたレイアウト画像データを作成する編集装置であって、
前記変換される第１の原稿データを記憶する画像データ記憶手段と、
前記記憶された第１の原稿データと前記変換により得られた第２の原稿データとの対応関係を記憶する対応関係記憶手段と、
入力手段と、
前記入力手段から前記レイアウト画像データ上の第２の原稿データに対する再変換用の色変換情報を含む再変換の指示を受け、前記対応関係記憶手段に記憶された対応関係を参照し、前記再変換が指示された第２の原稿データに対応する第１の原稿データを前記画像データ記憶手段から読み出す管理手段と、を備え、
前記色変換手段は、前記再変換用の色変換情報に基づいて、前記読み出された第１の原稿データを再変換することを特徴とする編集装置。
【請求項３】
色変換情報に基づいて、色が第１の色情報で示される第１の原稿データを変換して色が第２の色情報で示される第２の原稿データを生成する色変換手段を備え、前記生成された第２の原稿データに基づく画像が所望の位置に配置されたレイアウト画像データを作成する編集装置であって、
前記変換される第１の原稿データを記憶する画像データ記憶手段と、
前記変換により得られた第２の原稿データに、前記変換の元となった第１の原稿データを示す元データ情報を付す情報付加手段とを備えることを特徴とする編集装置。
【請求項４】
色変換情報に基づいて、色が第１の色情報で示される第１の原稿データを変換して色が第２の色情報で示される第２の原稿データを生成する色変換手段を備え、前記生成された第２の原稿データに基づく画像が所望の位置に配置されたレイアウト画像データを作成する編集装置であって、
前記変換される第１の原稿データを記憶する画像データ記憶手段と、
前記変換により得られた第２の原稿データに、前記変換の元となった第１の原稿データを示す元データ情報を付す情報付加手段と、
入力手段と、
前記入力手段から前記レイアウト画像データ上の第２の原稿データに対する再変換用の色変換情報を含む再変換の指示を受け、前記再変換が指示された第２の原稿データに付加された元データ情報を参照し、前記再変換が指示された第２の原稿データに対応する第１の原稿データを前記画像データ記憶手段から読み出す管理手段と、を備え、
前記色変換手段は、前記再変換用の色変換情報に基づいて、前記読み出された第１の原稿データを再変換することを特徴とする編集装置。
【発明の詳細な説明】
【技術分野】
【０００１】
本発明は、画像の色を第１の色情報であるＲ（レッド）Ｇ（グリーン）Ｂ（ブルー）で示す第１の原稿データ（以下、写真原稿ＲＧＢデータ）のＲＧＢを変換して得られる第２の色情報であるＣ（シアン）Ｍ（マゼンタ）Ｙ（イエロー）Ｋ（ブラック）で示す第２の原稿データ（以下、写真原稿ＣＭＹＫデータ）をレイアウトする編集装置に関する。
【背景技術】
【０００２】
従来、印刷製版業界では、画像の色をＣＭＹＫで示す写真原稿ＣＭＹＫデータを編集に用いていた。その写真原稿ＣＭＹＫデータは、予めポジフィルムなどからドラムスキャナなどを用いて生成していた。すなわち、生成された写真原稿ＣＭＹＫデータをコンピュータに入力するなどして、編集を行うレイアウト部門へ渡し、レイアウト部門においてその写真原稿ＣＭＹＫデータを用いて編集を行っていた。
【０００３】
一方、近年のデジタルカメラの普及や、高性能化及び高画質化により、デジタルカメラにより得られたデジタルデータによる入稿が増加する傾向にある。しかしながら、デジタルカメラのデジタルデータは画像の色をＲＧＢで示す写真原稿ＲＧＢデータであるから、編集に用いるためには写真原稿ＣＭＹＫデータに変換する必要がある。
【０００４】
例えば、従来行われていたＲＧＢデータの入稿から印刷に用いるラスターデータ生成までの手順は、（１）写真原稿ＲＧＢデータを写真原稿ＣＭＹＫデータに変換する、（２）写真原稿ＣＭＹＫデータを用いて編集を行いレイアウト画像データを作成する（レイアウト）、（３）レイアウト画像データをラスターデータ化（ＲＩＰ処理）して印刷に用いる印刷用画像データを生成するというように行われていた。このようにはじめに色の変換を行う手順を上流色変換と呼ぶ。
【０００５】
ところが、ＣＭＹＫによる色再現域はＲＧＢによる色再現域より小さいので、写真原稿ＲＧＢデータから写真原稿ＣＭＹＫデータへ色再現域が圧縮されての変換されることになる。したがって、写真原稿ＲＧＢデータから写真原稿ＣＭＹＫデータへの変換は、ＲＧＢ及びＣＭＹＫそれぞれによる色再現領域の違いから、変換後の色が意図した色にならない場合が発生しやすい。また、色再現域が圧縮された写真原稿ＣＭＹＫデータを用いて色調整するより、写真原稿ＲＧＢデータを再度変換したほうが意図する色を得やすい。したがって、印刷用画像データに基づいて印刷を行い、印刷物で色の不具合が発見されると、まず、元の写真原稿ＲＧＢデータを探し、（１）から作業をやり直さなければならず、多大な労力と時間を費やす必要があった。元の写真原稿ＲＧＢデータが手元にない場合（たとえば、消去されていた場合）には、写真原稿ＣＭＹＫデータを用いて色調整することになり期待通りの色にならない場合があった。
【０００６】
また、写真原稿ＲＧＢデータをレイアウトするとともに色変換を示すファイルを添付してレイアウト画像データを作成し、添付されたファイルに基づいて色変換を行ってラスターデータ化する処理装置が提案されている（例えば、特許文献１参照。）。特許文献１に記載の処理装置によれば、添付されたファイルを変更することにより再変換を行うことが可能である。しかしながら、従来から印刷製版業界で行われているレイアウト画像データに写真原稿ＣＭＹＫデータがレイアウトする上流色変換には適用できない。
【０００７】
【特許文献１】特開２００４−５８４３８号公報
【発明の開示】
【発明が解決しようとする課題】
【０００８】
したがって、上流変換であっても色の再変換を容易に行えるようにすることが望まれていた。
【０００９】
本発明は、上記事情に鑑みてなされたものであり、その目的とするところは、上流色変換で色の再変換する場合に、再変換対象の写真原稿ＣＭＹＫデータの元の写真原稿ＲＧＢデータを管理することが可能な編集装置を提供することにある。
【課題を解決するための手段】
【００１０】
上記課題を解決するために請求項１に記載の発明は、色変換情報に基づいて、色が第１の色情報で示される第１の原稿データを変換して色が第２の色情報で示される第２の原稿データを生成する色変換手段を備え、前記生成された第２の原稿データに基づく画像が所望の位置に配置されたレイアウト画像データを作成する編集装置であって、前記変換される第１の原稿データを記憶する画像データ記憶手段と、前記記憶された第１の原稿データと前記変換により得られた第２の原稿データとの対応関係を記憶する対応関係記憶手段とを備えることを特徴としている。
【００１１】
また、請求項２に記載の発明は、色変換情報に基づいて、色が第１の色情報で示される第１の原稿データを変換して色が第２の色情報で示される第２の原稿データを生成する色変換手段を備え、前記生成された第２の原稿データに基づく画像が所望の位置に配置されたレイアウト画像データを作成する編集装置であって、前記変換される第１の原稿データを記憶する画像データ記憶手段と、前記記憶された第１の原稿データと前記変換により得られた第２の原稿データとの対応関係を記憶する対応関係記憶手段と、入力手段と、前記入力手段から前記レイアウト画像データ上の第２の原稿データに対する再変換用の色変換情報を含む再変換の指示を受け、前記対応関係記憶手段に記憶された対応関係を参照し、前記再変換が指示された第２の原稿データに対応する第１の原稿データを前記画像データ記憶手段から読み出す管理手段と、を備え、前記色変換手段は、前記再変換用の色変換情報に基づいて、前記読み出された第１の原稿データを再変換することを特徴としている。
【００１２】
また、請求項３に記載の発明は、色変換情報に基づいて、色が第１の色情報で示される第１の原稿データを変換して色が第２の色情報で示される第２の原稿データを生成する色変換手段を備え、前記生成された第２の原稿データに基づく画像が所望の位置に配置されたレイアウト画像データを作成する編集装置であって、前記変換される第１の原稿データを記憶する画像データ記憶手段と、前記変換により得られた第２の原稿データに、前記変換の元となった第１の原稿データを示す元データ情報を付す情報付加手段とを備えることを特徴としている。
【００１３】
また、請求項４に記載の発明は、色変換情報に基づいて、色が第１の色情報で示される第１の原稿データを変換して色が第２の色情報で示される第２の原稿データを生成する色変換手段を備え、前記生成された第２の原稿データに基づく画像が所望の位置に配置されたレイアウト画像データを作成する編集装置であって、前記変換される第１の原稿データを記憶する画像データ記憶手段と、前記変換により得られた第２の原稿データに、前記変換の元となった第１の原稿データを示す元データ情報を付す情報付加手段と、入力手段と、前記入力手段から前記レイアウト画像データ上の第２の原稿データに対する再変換用の色変換情報を含む再変換の指示を受け、前記再変換が指示された第２の原稿データに付加された元データ情報を参照し、前記再変換が指示された第２の原稿データに対応する第１の原稿データを前記画像データ記憶手段から読み出す管理手段と、を備え、前記色変換手段は、前記再変換用の色変換情報に基づいて、前記読み出された第１の原稿データを再変換することを特徴としている。
【発明の効果】
【００１４】
本発明の編集装置によれば、色の変換がなされる写真原稿ＲＧＢデータを記憶し、記憶された写真原稿ＲＧＢデータと変換により得られた写真原稿ＣＭＹＫデータとを対応付けするので、元の写真原稿ＲＧＢデータを管理することが可能となる。これにより、元の写真原稿ＲＧＢデータを用いた色の再変換を容易に行うことが可能となる。
【発明を実施するための最良の形態】
【００１５】
以下、本発明に係る編集装置の様々な実施形態について、図面を参照しながら詳細に説明する。
【００１６】
〈第１の実施形態〉
＜制御構成＞
本発明にかかる第１の実施の形態としての編集装置について説明する。本実施の形態の編集装置は、いわゆるＰＣ（Ｐｅｒｓｏｎａｌ  Ｃｏｍｐｕｔｅｒ）で、コンピュータ本体、キーボードおよびモニタ等を含んで構成される。また、コンピュータ本体には所定のプログラムが組み込まれ、このプログラムを実行して後述の画像処理を行う。
【００１７】
また、本実施の形態の編集装置の有する機能について図１を用いて説明する。図１は、第１の実施の形態の編集装置の制御構成を説明するための機能ブロック図である。
【００１８】
受付手段２１は、写真原稿ＲＧＢデータ（第１の原稿データ）を受け付け、管理手段２２に送る。写真原稿ＲＧＢデータとは、画素をＲＧＢ（第１の色情報）の各光の強度で示し、その強度を階調値として示す。ここで、階調値は、光の強度を０から１００または０から２５５の数値を用いて段階的に示す値である。例えば、黒は（Ｒ０、Ｇ０、Ｂ０）のように示され、白は、階調値０から２５５を用いる場合には（Ｒ２５５、Ｇ２５５、Ｂ２５５）のように示される。また、受付手段２１は、端末装置から送信される写真原稿ＲＧＢデータをネットワークを介して受信する手段、デジタルカメラ、スキャナ等とケーブル等を介して接続され、撮影して得られた写真原稿ＲＧＢデータを取得する手段、または、写真原稿ＲＧＢデータが記録された媒体、例えば、ＣＤ−ＲＯＭ（ｃｏｍｐａｃｔ  ｄｉｓｋ−ｒｅａｄ  ｏｎｌｙ  ｍｅｍｏｒｙ）などの記録媒体が着脱可能になされ、装着された記録媒体に書き込まれた写真原稿ＲＧＢデータを読み取る手段等で構成される。また、編集装置で動作するアプリケーションソフトを用いて作成される写真原稿ＲＧＢデータを取得する手段であってもよい。
【００１９】
入力手段２０は、各種入力や操作を行うための、キーボード等の入力デバイスや、マウス・トラックボール等のポインティングデバイスから構成されている。そして、各種入力や操作に対応する信号が管理手段２２に出力される。
【００２０】
管理手段２２は、受け付けた写真原稿ＲＧＢデータを受け取り、画像データ記憶手段２３に記憶させる。また、入力手段２０を用いて対象の写真原稿ＲＧＢデータの色の変換の指示を受け、変換の対象の写真原稿ＲＧＢデータを画像データ記憶手段２３から読み出して、色の変換の内容を示す色変換情報とともに色変換手段２４に送る。この色変換情報は色の変換の指示とともに入力手段２０を用いて入力されるものである。
【００２１】
ＬＵＴ記憶部２６は、ＲＧＢとＣＭＹＫ（第２の色情報）との変換関係を示すＲＧＢ→ＣＭＹＫルックアップテーブルや、ＲＧＢとＬ＊ａ＊ｂ＊表色系の値との関係を示すＲＧＢ→Ｌ＊ａ＊ｂ＊ルックアップテーブル、ＣＭＹＫとＬ＊ａ＊ｂ＊表色系の値との関係を示すＣＭＹＫ→Ｌ＊ａ＊ｂ＊ルックアップテーブルなどのカラープロファイルを格納する。
【００２２】
例えば、ＲＧＢ→ＣＭＹＫルックアップテーブルは、変換関係が異なるものが複数格納されている。また、カラープロファイルも複数格納されており、例えば、モニタの色特性を示すモニタプロファイル、ＲＧＢに対する色再現範囲を示す、例えばｓＲＧＢのようなＲＧＢプロファイル、また、ＣＭＹＫ対する色再現範囲を示す、ＣＭＹＫプロファイルなどがある。これ以外にも、プリンタの色特性を示すプリンタプロファイル、印刷機で出力する色特性を示し、複数の用紙種類ごとの印刷プロファイルなど様々なプロファイルや、色変換特性を示すＬＵＴ（Ｌｏｏｋ  ｕｐ  ｔａｂｌｅ）などのカラープロファイルがある。
【００２３】
色変換手段２４は、対象の写真原稿ＲＧＢデータを例えば入力手段２０を用いて入力された色変換情報が示すＬＵＴ記憶部２６に記憶されたルックアップテーブルを用いて変換し、画像の色をＣＭＹＫ各色の階調値で示す写真原稿ＣＭＹＫデータ（第２の原稿データ）を生成する。
【００２４】
色変換情報は、例えばＬＵＴ記憶部２６に記憶されたルックアップテーブルを示す名称や番号などの識別情報でよい。また、ＬＵＴ記憶部２６に、例えば景色、人物等の画像種類とルックアップテーブルとを関連付けて記憶しておけば画像種類を色変換情報とすることも可能である。
【００２５】
また、色変換手段２４が、いわゆるγ補正、シャープネス、コントラスト等の色にかかわる画像処理を行う画像処理手段としての機能を含み、色変換情報がこれらの画像処理を行うか否かの情報を含むようにし、色変換手段２４は、色変換情報に基づいて写真原稿ＣＭＹＫデータへの変換とともに上記の画像処理を行うようにしてもよい。この画像処理は色にかかわるものであるから、画像処理も含んで「変換」という。
【００２６】
また、管理手段２２は、変換により生成された写真原稿ＣＭＹＫデータに識別情報（ファイル名等）付し、画像データ記憶手段２３に記憶する。そして、写真原稿ＣＭＹＫデータと変換の元の写真原稿ＲＧＢデータとの対応関係をデータベース２５に書き込む。
【００２７】
データベース２５は、写真原稿ＣＭＹＫデータと色の変換の元になった写真原稿ＲＧＢデータとの対応関係を記憶する対応関係記憶手段としての機能を有するデータベースである。図２にデータベース２５の構成の一例を示す。図２に示すように、例えば、写真原稿ＣＭＹＫデータのファイル名と写真原稿ＲＧＢデータのファイル名とを対応させ対応関係を示す。また、写真原稿ＣＭＹＫデータのファイル名と写真原稿ＲＧＢデータの画像データ記憶手段２３におけるアドレスとを対応させたものでよい。また、管理手段２２により書き込み、更新などの管理がなされる。
【００２８】
レイアウト手段２７は、レイアウト対象の写真原稿ＣＭＹＫデータを画像データ記憶手段２３から読み出し、入力手段２０を用いて入力されたレイアウト対象となる写真原稿ＣＭＹＫデータと所望の位置の指示に基づいて、写真原稿ＣＭＹＫデータに基づく画像が指示された所望の位置に配置されたレイアウト画像データを作成する。例えば、写真原稿ＣＭＹＫデータの左上の角を基準点とし、その基準点の座標位置を指示に基づいて決定する。例えばこの座標位置はレイアウト情報となる。ただし、レイアウト情報はこの基準点の座標位置に限られず、例えば領域を示す情報などであってもよい。図３に示すように、レイアウト画像データは、レイアウト画像データの識別情報（ファイル名など）、写真原稿ＣＭＹＫデータのレイアウト情報、及び、識別情報が付された写真原稿ＣＭＹＫデータを含んで構成される。また、図４には、レイアウト画像データにより示される画像の一例を示す。図４に示すように、レイアウト画像データは、レイアウト情報に従って例えば写真原稿ＣＭＹＫデータに基づく画像が配置された画像を示す。レイアウト画像データは、一時的にメモリ２８に格納される。
【００２９】
表示制御手段３０は、表示手段２９にレイアウト画像データに基づいて例えば図４に示す画像を表示させる。また、入力手段２０からの入力やプログラムに基づいて入力メニュー画面を生成して表示手段２９に表示させる。この入力メニュー画面は、例えば表示された画像に対する各種入力に用いられる。例えば、入力メニュー画面は、マウスをいわゆる右クリックすることにより表示されるメニューで、例えば印刷指示、再変換指示、色変換情報などが選択可能に表示される。
【００３０】
ＲＩＰ処理手段３１は、入力手段２０による印刷の指示を受けると、レイアウト画像データをラスターデータ（ビットマップデータ）に変換し、図示しない印刷装置に送る。このラスターデータに変換されたデータを印刷用画像データと呼ぶことがある。
【００３１】
さらに、例えば印刷物を見て色の変換に問題があった場合には、本実施の形態の編集装置は、入力手段２０を用いて特定の写真原稿ＣＭＹＫデータの画像について再度の変換の指示を行なうことができる。例えば、入力手段２０のマウス・トラックボール等のポインティングデバイスを用いて表示された画像上の再変換を行う画像が表示されている位置で右クリックすることにより、表示制御手段３０は、表示手段２９に入力メニュー画面を表示させ、再変換用の色変換情報の選択し再変換指示を行う。
【００３２】
管理手段２２は、右クリックされた位置を示す情報とレイアウト画像データのレイアウト情報とに基づいて指定された写真原稿ＣＭＹＫデータを特定する特定手段としての機能と、データベース２５を参照して特定された写真原稿ＣＭＹＫデータに対応する写真原稿ＲＧＢデータを判別する判別手段としての機能と備え、その写真原稿ＲＧＢデータを画像データ記憶手段２３から読み出して、再変換用の色変換情報とともに色変換手段２４に送る。
【００３３】
このとき、新たに生成される写真原稿ＣＭＹＫデータの識別情報は、先の写真原稿ＣＭＹＫデータの識別情報を用いてもよいし、新たに作成し付すようにしてもよい。ただし、新たに作成する場合には、データベース２５に対応関係を新たに書き加えるか若しくは更新する必要がある。
【００３４】
色変換手段２４は、管理手段２２から送られた写真原稿ＲＧＢデータを再変換用の色変換情報が示すＬＵＴ記憶部２６に記憶されたルックアップテーブルを用いて変換し、写真原稿ＣＭＹＫデータを生成する。
【００３５】
レイアウト手段２７は、レイアウト画像データの再変換の指示がなされた写真原稿ＣＭＹＫデータを再変換により得られた写真原稿ＣＭＹＫデータに置き換える。
【００３６】
表示制御手段３０は、写真原稿ＣＭＹＫデータが置き換えられたレイアウト画像データに基づいて表示手段２９に画像を表示させる。
【００３７】
ＲＩＰ処理手段３１は、入力手段２０による印刷の指示を受けると、写真原稿ＣＭＹＫデータが置き換えられたレイアウト画像データをラスターデータに変換し、図示しない印刷装置に送る。
【００３８】
＜色の変換の手順＞
次に、本実施の形態の編集装置における色の変換の手順について図５及び図６を用いて説明する。図５及び図６は、変換の手順について示すフローチャートであり、再変換の手順を含むフローチャートである。
【００３９】
まず、図５に示すように、受付手段２１が写真原稿ＲＧＢデータを受けると、管理手段２２は、写真原稿ＲＧＢデータを画像データ記憶手段２３の所定の位置に記憶させる（ステップＳ１０１。以下、ステップＳ１０１をＳ１０１と省略して記載する。また、他のステップも同様に省略して記載する。）。このようにして、写真原稿ＲＧＢデータは、画像データ記憶手段２３に記憶される。
【００４０】
そして、操作者による対象の写真原稿ＲＧＢデータの色の変換の指示が、その変換に係る色変換情報とともに入力手段２０を用いて入力されると（Ｓ１０２、Ｙ）、管理手段２２は、対象の写真原稿ＲＧＢデータを画像データ記憶手段２３から読み出し、対象の写真原稿ＲＧＢデータと色変換情報を色変換手段２４に送る。色変換手段２４は、対象の写真原稿ＲＧＢデータを色変換情報が示すルックアップテーブルを用いて変換し、写真原稿ＣＭＹＫデータを生成する。管理手段２２は、ファイル名を作成し、ファイル名を生成された写真原稿ＣＭＹＫデータに付して画像データ記憶手段２３に記憶する（Ｓ１０３）。また、例えば、写真原稿ＣＭＹＫデータのファイル名と写真原稿ＲＧＢデータのファイル名とを対応させた対応関係をデータベース２５に書き込む（図２参照）（Ｓ１０４）。
【００４１】
次に、操作者が入力手段２０を操作してプログラムを起動させ、写真原稿ＣＭＹＫデータをレイアウトしたレイアウト画像データを作成する。例えば、入力手段２０を用いてレイアウト対象となる写真原稿ＣＭＹＫデータと配置位置の指示を行う（Ｓ２０１、Ｙ）。
【００４２】
レイアウト手段２７は、写真原稿ＣＭＹＫデータを配置したレイアウト画像データを作成する（Ｓ２０２）。レイアウト画像データは、レイアウト画像データの識別情報（ファイル名など）、写真原稿ＣＭＹＫデータのレイアウト情報、及び、識別情報が付された写真原稿ＣＭＹＫデータを含んで構成される（図３参照）。レイアウト画像データは、メモリ２８に格納され、表示制御手段３０は、表示手段２９にレイアウト画像データに基づいて画像を表示させる（図４参照）（Ｓ２０３）。
【００４３】
ここで、入力手段２０を用いて表示手段２９に入力メニュー画面を表示させ印刷の指示が入力されると（Ｓ２０６、Ｙ）、ＲＩＰ処理手段３１は、レイアウト画像データをラスターデータ（ビットマップデータ）に変換して印刷用画像データを生成し（Ｓ２０７）、印刷装置に送る（Ｓ２０８）。そして、印刷装置で、印刷用画像データに基づいて画像が印刷される。
【００４４】
例えば、操作者が印刷物を見て色の変換に問題があったと判断すると、入力手段２０のマウスを用いて特定の写真原稿ＣＭＹＫデータの画像で右クリックし、その位置で入力メニュー画面が表示されると再変換用の色変換情報を選択して再度の変換の指示を入力する。管理手段２２はこの再変換の指示を受け（Ｓ２０５、Ｙ）、右クリックされた位置を示す情報とレイアウト画像データのレイアウト情報とに基づいて再変換が指定された写真原稿ＣＭＹＫデータを特定し、データベース２５を参照して特定された写真原稿ＣＭＹＫデータに対応する写真原稿ＲＧＢデータを判別して、その写真原稿ＲＧＢデータを画像データ記憶手段２３から読み出して、再変換用の色変換情報とともに色変換手段２４に送る（Ｓ２０９）。
【００４５】
色変換手段２４は、管理手段２２から送られた写真原稿ＲＧＢデータを再変換用の色変換情報が示すＬＵＴ記憶部２６に記憶されたルックアップテーブルを用いて変換し、写真原稿ＣＭＹＫデータを生成する（Ｓ２１０）。
【００４６】
そして、レイアウト手段２７は、レイアウト画像データの再変換の指示がなされた写真原稿ＣＭＹＫデータを再変換により得られた写真原稿ＣＭＹＫデータに置き換える（Ｓ２１１）。そして、入力手段２０から印刷の指示が入力されると（Ｓ２０６、Ｙ）、同様にして（Ｓ２０７）（Ｓ２０８）、印刷装置で画像が印刷される。操作者が印刷物を見て色の変換に問題があったと判断すると再変換を繰り返すこととなり、問題がなければ、例えばプログラムを終了することにより（Ｓ２０４、Ｙ）本手順は終了する。
【００４７】
上述のように、写真原稿ＲＧＢデータを記憶し、写真原稿ＣＭＹＫデータと色の変換の元になった写真原稿ＲＧＢデータとの対応関係を記憶しておくことにより、レイアウト画像データに配置された写真原稿ＣＭＹＫデータに対応する写真原稿ＲＧＢデータを管理できる。これにより、写真原稿ＣＭＹＫデータの色の再変換を行うときに、変換の元となった写真原稿ＲＧＢデータを自動的に読み出すことが可能となり、再変換を容易に行うことができる。
【００４８】
〈第２の実施形態〉
次に、本発明に係る第２の実施の形態について説明する。なお、以下には第１の実施の形態と実質的に同様の構成については、詳細な説明を省略し、主に異なる点について述べる。
【００４９】
本実施の形態では、第１の実施の形態の写真原稿ＣＭＹＫデータと色の変換の元になった写真原稿ＲＧＢデータとの対応関係を記憶するデータベースに代えて、写真原稿ＣＭＹＫデータに元になった写真原稿ＲＧＢデータを示す元データ情報を付加するようにしたものである。
【００５０】
＜制御構成＞
本実施の形態の編集装置の有する機能について図７を用いて説明する。図７は、第２の実施の形態の編集装置の制御構成を説明するための機能ブロック図である。
【００５１】
管理手段２２は、変換の対象の写真原稿ＲＧＢデータと色変換情報とともに色変換手段２４に送るとともに、変換の元になった写真原稿ＲＧＢデータを示す元データ情報を情報付加手段３２に送る。元データ情報は、例えば写真原稿ＲＧＢデータのファイル名、写真原稿ＲＧＢデータの画像データ記憶手段２３におけるアドレスなどである。
【００５２】
情報付加手段３２は、色変換手段２４で写真原稿ＲＧＢデータを変換することにより生成された写真原稿ＣＭＹＫデータに、変換の元になった写真原稿ＲＧＢデータを示す元データ情報を付す。
【００５３】
レイアウト手段２７は、レイアウト画像データを例えば図８に示すように構成する。図８はレイアウト画像データの構成を示す一例である。図８に示すように、レイアウト画像データは、レイアウト画像データの識別情報（ファイル名など）、写真原稿ＣＭＹＫデータのレイアウト情報、及び、識別情報と元データ情報（図ではファイル名）とが付された写真原稿ＣＭＹＫデータを含んで構成される。
【００５４】
管理手段２２は、入力手段２０を用いて特定の写真原稿ＣＭＹＫデータの画像について再度の変換の指示が入力されると、第１の実施の形態と同様に指定された写真原稿ＣＭＹＫデータを特定する特定手段としての機能を有し、データベース２５の参照に代えて、元データ情報を参照して指定された写真原稿ＣＭＹＫデータに対応する写真原稿ＲＧＢデータを判別する判別手段としての機能を備える。
【００５５】
＜色の変換の手順＞
次に、本実施の形態の編集装置における色の変換の手順について図９及び図１０を用いて説明する。図９及び図１０は、変換の手順について示すフローチャートであり、再変換の手順を含むフローチャートである。
【００５６】
まず、図９に示すように、第１の実施の形態と同様に受付手段２１が写真原稿ＲＧＢデータを受けると、管理手段２２は、写真原稿ＲＧＢデータを画像データ記憶手段２３の所定の位置に記憶させる（ステップＳ３０１）。
【００５７】
そして、操作者による対象の写真原稿ＲＧＢデータの色の変換の指示が、その変換に係る色変換情報とともに入力手段２０を用いて入力されると（Ｓ３０２、Ｙ）、第１の実施の形態と同様に写真原稿ＣＭＹＫデータが生成される。情報付加手段３２は、変換の元となった写真原稿データＲＧＢの例えばファイル名を生成された写真原稿ＣＭＹＫデータに付して画像データ記憶手段２３に記憶する（Ｓ３０３）。
【００５８】
次に、第１の実施の形態と同様にレイアウト画像データを作成する。（Ｓ４０１、Ｙ）及び（Ｓ４０２）。レイアウト画像データは、レイアウト画像データの識別情報（ファイル名など）、写真原稿ＣＭＹＫデータのレイアウト情報、及び、識別情報と元データ情報（図ではファイル名）とが付された写真原稿ＣＭＹＫデータを含んで構成される（図８参照）。レイアウト画像データは、メモリ２８に格納され、表示制御手段３０は、表示手段２９にレイアウト画像データに基づいて画像を表示させる（図４参照）（Ｓ４０３）。
【００５９】
Ｓ４０４乃至Ｓ４０８は、図６のＳ２０４乃至Ｓ２０８と同様である。管理手段２２が、再変換の指示を受けると（Ｓ４０５、Ｙ）、右クリックされた位置を示す情報とレイアウト画像データのレイアウト情報とに基づいて再変換が指定された写真原稿ＣＭＹＫデータを特定し、特定された写真原稿ＣＭＹＫデータに付された元データ情報を参照して特定された写真原稿ＣＭＹＫデータに対応する写真原稿ＲＧＢデータを判別して、その写真原稿ＲＧＢデータを画像データ記憶手段２３から読み出して、再変換用の色変換情報とともに色変換手段２４に送る（Ｓ４０９）。そして、再変換による写真原稿ＣＭＹＫデータの生成（Ｓ４１０）及びレイアウト画像データの写真原稿ＣＭＹＫデータに置き換え（Ｓ４１１）を図６のＳ２１０及びＳ２１１と同様に行う。
【００６０】
上述のように、写真原稿ＲＧＢデータを記憶し、写真原稿ＣＭＹＫデータに色の変換の元になった写真原稿ＲＧＢデータを示す元データ情報を付しておくことにより、レイアウト画像データに配置された写真原稿ＣＭＹＫデータに対応する写真原稿ＲＧＢデータを管理できる。これにより、写真原稿ＣＭＹＫデータの色の再変換を行うときに、変換の元となった写真原稿ＲＧＢデータを自動的に読み出すことが可能となり、再変換を容易に行うことができる。
【図面の簡単な説明】
【００６１】
【図１】第１の実施の形態に係るクライアント端末の制御構成を表す機能ブロック図である。
【図２】図１に示すデータベースの構成を示す図である。
【図３】第１の実施の形態のレイアウト画像データの構成を示す図である。
【図４】レイアウト画像データに基づく画像を示す図である。
【図５】第１の実施の形態の編集装置における色の変換の手順の一例を示すフローチャートである。
【図６】第１の実施の形態の編集装置における色の変換の手順の一例を示すフローチャートである。
【図７】第２の実施の形態に係るクライアント端末の制御構成を表す機能ブロック図である。
【図８】第２の実施の形態のレイアウト画像データの構成を示す図である。
【図９】第２の実施の形態の編集装置における色の変換の手順の一例を示すフローチャートである。
【図１０】第２の実施の形態の編集装置における色の変換の手順の一例を示すフローチャートである。
【符号の説明】
【００６２】
２０  入力手段
２１  受付手段
２２  管理手段
２３  画像データ記憶手段
２４  色変換手段
２５  データベース
２６  ＬＵＴ記憶部
２７  レイアウト手段
２８  メモリ
２９  表示手段
３０  表示制御手段
３１  ＲＩＰ処理手段
３２  情報付加手段
【図１】
2007251878.tif 000003
【図２】
2007251878.tif 000004
【図３】
2007251878.tif 000005
【図４】
2007251878.tif 000006
【図５】
2007251878.tif 000007
【図６】
2007251878.tif 000008
【図７】
2007251878.tif 000009
【図８】
2007251878.tif 000010
【図９】
2007251878.tif 000011
【図１０】
2007251878.tif 000012